(57)【要約】【課題】本発明は、高い放熱効率を有する照明装置を提供することを目的とする。【解決手段】本発明に係る照明装置は、相対向して設置される第一端及び第二端を備える放熱部材と、前記放熱部材の第一端に設置される熱伝導部材と、前記熱伝導部材上に設置される基板と、前記基板上に設置され、且つその電極が前記基板の回路に電気接続する少なくとも１つの固体発光素子と、前記放熱部材の第二端に設置され且つ前記基板に電気接続する口金と、を備える。【選択図】図１
2011086615.tif 000002
【特許請求の範囲】
【請求項１】
相対向して設置される第一端及び第二端を備える放熱部材と、
前記放熱部材の第一端に設置される熱伝導部材と、
前記熱伝導部材上に設置される基板と、
前記基板上に設置され、且つその電極が前記基板の回路に電気接続する少なくとも１つの固体発光素子と、
前記放熱部材の第二端に設置され且つ前記基板に電気接続する口金と、
を備えることを特徴とする照明装置。
【請求項２】
前記放熱部材の第一端は、単一平面からなることを特徴とする請求項１に記載の照明装置。
【請求項３】
前記放熱部材の第一端は、複数の斜面からなることを特徴とする請求項１に記載の照明装置。
【請求項４】
前記放熱部材の外周面には放熱フィンが設置されることを特徴とする請求項２又は３に記載の照明装置。
【請求項５】
前記固体発光素子の数量は複数であり、前記基板上に均一に分布されることを特徴とする請求項１に記載の照明装置。
【請求項６】
前記照明装置は、１つの開放端から開放される収容空間を有するランプカバーをさらに備え、前記開放端は前記放熱部材の第一端に結合され、前記熱伝導部材、前記基板及び前記固体発光素子は前記収容空間内に収容されることを特徴とする請求項１に記載の照明装置。
【請求項７】
前記ランプカバーは、前記固体発光素子の光学素子として、前記固体発光素子の照射パターンを調整することを特徴とする請求項６に記載の照明装置。
【発明の詳細な説明】
【技術分野】
【０００１】
本発明は、照明装置に関するものであって、特に放熱効率を高めることができる照明装置に関するものである。
【背景技術】
【０００２】
半導体発光素子を採用して製作された発光ダイオード（Ｌｉｇｈｔ  Ｅｍｉｔｔｉｎｇ  Ｄｉｏｄｅ，ＬＥＤ）は、高輝度、低消費電力、長寿命である等の利点を有することから、冷陰極蛍光ランプ（Ｃｏｌｄ  Ｃａｔｈｏｄｅ  Ｆｌｕｏｒｅｓｃｅｎｔ  Ｌａｍｐ，ＣＣＦＬ）に代わってランプの光源として広く応用される。
【０００３】
従来の発光ダイオードランプは、放熱部材、口金、基板及び複数の発光ダイオードを備える。前記口金は、前記放熱部材の一端に接続されており、前記基板は、前記放熱部材の他端に接続されており、前記複数の発光ダイオードは、前記基板に設置されている。
【発明の概要】
【発明が解決しようとする課題】
【０００４】
前記基板は、ガラス繊維などの材質からなるプリント基板であり、高温に耐える効果を有するため、熱伝導効果が悪い。前記発光ダイオードランプは長時間作動すると、前記発光ダイオードが発生する熱量が多くなるが、前記熱量は前記基板に当止されて前記放熱部材に高効率に熱伝導することができなくなり、温度が一定のレベルに達すると、発光ダイオードの内部量子効率が低下し、発光ダイオードの寿命が短縮される。従って、発光ダイオードが作動する時に発生する熱量を即時に放熱しなければならない。
【０００５】
本発明の目的は、前記課題を解決し、高い放熱効率を有する照明装置を提供することにある。
【課題を解決するための手段】
【０００６】
本発明に係る照明装置は、相対向して設置される第一端及び第二端を備える放熱部材と、前記放熱部材の第一端に設置される熱伝導部材と、前記熱伝導部材上に設置される基板と、前記基板上に設置され、且つその電極が前記基板の回路に電気接続する少なくとも１つの固体発光素子と、前記放熱部材の第二端に設置され且つ前記基板に電気接続する口金と、を備える。
【発明の効果】
【０００７】
本発明の照明装置において、放熱部材と基板との間には熱伝導効果に優れた熱伝導部材が設置されているため、前記照明装置を長時間使用すると、固体発光素子が生じる熱量は多くなるが、前記熱量は前記熱伝導部材により前記放熱部材に高効率に熱伝導されて熱交換が行われるため、前記固体発光素子の寿命が短縮しなくなり、前記照明装置の放熱効率を高めて、前記照明装置の製品性能を高めることができる。
【図面の簡単な説明】
【０００８】
【図１】本発明の第一実施形態に係る照明装置の構造を示す図である。
【図２】本発明の第二実施形態に係る照明装置の構造を示す図である。
【図３】本発明の第三実施形態に係る照明装置の構造を示す図である。
【発明を実施するための形態】
【０００９】
以下、図面を参照して、本発明の実施形態について説明する。
【００１０】
図１に示されたように、本発明の第一実施形態に係る照明装置１００は、放熱部材１０と、熱伝導部材２０と、基板３０と、固体発光素子４０と、口金５０と、ランプカバー６０と、を備える。
【００１１】
前記放熱部材１０は、相対向して設置される第一端及び第二端を備える。前記放熱部材１０の外周面には放熱フィン１２が設置されているため、前記放熱部材１０の熱交換効率を向上させる。本実施形態において、前記放熱部材１０は、銅、アルミニウムなどのような放熱効果に優れた材質からなり、その第一端は、単一平面である。
【００１２】
前記熱伝導部材２０は、前記放熱部材１０の第一端に設置される。本実施形態において、前記熱伝導部材２０は、電気絶縁する熱伝導ゴムである。
【００１３】
前記基板３０は、前記熱伝導部材２０の上に設置される。本実施形態において、前記基板３０は、プリント基板である。
【００１４】
前記固体発光素子４０は、相対向して設置される底面及び光射出面を備える。前記固体発光素子４０の底面は、前記基板３０に接続されて、前記固体発光素子４０の電極を前記基板３０の回路に電気接続させる。前記固体発光素子４０の寸法及び数量は、実際の照明に対する要求によって決める。本実施形態において、前記固体発光素子４０は、発光ダイオードである。
【００１５】
前記口金５０は、前記放熱部材１０の第二端に接続される。前記口金５０の外部には、前記口金５０を外部電源に電気接続するために用いられる螺合部又は係合部が設置されている。本実施形態において、前記口金５０は、螺合部を有する口金である。電気接続用導線（図示せず）は、前記放熱部材１０を貫いて前記口金５０及び前記基板３０に電気接続して、前記基板３０及び前記固体発光素子４０に電力を提供する。
【００１６】
前記ランプカバー６０は、前記放熱部材１０の第一端に結合された開放端６４から開放される収容空間６２を有し、前記熱伝導部材２０、前記基板３０及び前記固体発光素子４０は、前記収容空間６２に収容される。前記ランプカバー６０は、前記固体発光素子４０の光学素子として、前記固体発光素子４０の照射パターン（illumination pattern）を調整することができる。光学素子は、レンズ又は反射カバーとすることができ、前記固体発光素子４０からの光線の射出角度又は配光曲線を変えるために用いられる。
【００１７】
前記放熱部材１０と前記基板３０との間には熱伝導効果に優れた熱伝導部材２０が設置されているため、前記照明装置１００を長時間使用しても、前記固体発光素子４０が発生する熱量は多くなるが、前記熱量は前記熱伝導部材２０により前記放熱部材１０に高効率に熱伝導されて熱交換が行われるため、前記固体発光素子４０の寿命が短縮しなくなり、前記照明装置１００の放熱効率を高めて、前記照明装置１００の製品性能を高めることができる。
【００１８】
固体発光素子の数量を増加することにより、照明装置の輝度を高めることができる。図２を参照すると、本発明の第二実施形態に係る照明装置１００ａは、放熱部材１０と、複数の熱伝導部材２０ａと、基板３０ａと、複数の固体発光素子４０ａと、口金５０と、ランプカバー６０と、を備える。前記第一実施形態に係る照明装置１００と比べて、本実施形態に係る照明装置１００ａにおいては、複数の固体発光素子４０ａの底面がそれぞれ前記基板３０ａに接続され、前記放熱部材１０と前記基板３０ａとの間の前記複数の固体発光素子４０ａに対応する位置には複数の熱伝導部材２０ａが設置されており、従って前記複数の固体発光素子４０ａが発生する熱量は、前記複数の熱伝導部材２０ａにより前記放熱部材１０ａに高効率に熱伝導されて熱交換が行われて、前記照明装置１００ａの放熱効率を高める。
【００１９】
前記放熱部材１０と前記基板３０ａとの間に前記複数の固体発光素子４０ａの底面を覆うことができる大きい面積を有する１つの熱伝導部材２０ａを設置してもよい。
【００２０】
図３に示されたように、本発明の第三実施形態に係る照明装置１００ｂは、放熱部材１０と、複数の熱伝導部材２０ｂと、基板３０ｂと、複数の固体発光素子４０ｂと、口金５と、ランプカバー６０と、を備える。前記第二実施形態に係る照明装置１００ａと比べて、本実施形態に係る照明装置１００ｂにおいては、前記放熱部材１０の第一端に複数の斜面が設置されており、複数の熱伝導部材２０ｂ、基板３０及び複数の固体発光素子４０ｂが、それぞれ前記複数の斜面に対応して設置されるため、前記複数の固体発光素子４０ｂの光射出面が異なる方向に向って、前記照明装置１００ｂによって広い領域を照明することができる。
【００２１】
前記基板３０ｂと前記放熱部材１０の複数の斜面との間には、熱伝導効果に優れた複数の熱伝導部材２０ｂが設置されているため、前記固体発光素子４０ｂが発生する熱量は、前記熱伝導部材２０ｂにより前記放熱部材１０の複数の斜面に高効率に熱伝導されて熱交換が行われるため、前記固体発光素子４０ｂの寿命が短縮しなくなり、前記照明装置１００ｂの放熱効率を高めて、前記照明装置１００ｂの製品性能を高めることができる。
【００２２】
以上、本発明を実施例に基づいて具体的に説明したが、本発明は、上述の実施例に限定されるものではなく、その要旨を逸脱しない範囲において、種々の変更可能であることは勿論であって、本発明の保護範囲は、以下の特許請求の範囲から決まる。
【符号の説明】
【００２３】
１０  放熱部材
１２  放熱フィン
２０、２０ａ、２０ｂ  熱伝導部材
３０、３０ａ、３０ｂ  基板
４０、４０ａ、４０ｂ  固体発光素子
５０  口金
６０  ランプカバー
６２  収容空間
６４  開放端
１００、１００ａ、１００ｂ  照明装置
【図１】
2011086615.tif 000003
【図２】
2011086615.tif 000004
【図３】
2011086615.tif 000005